Podtech/llm-jp-corpus-v4-ja_patent huggingface dataset:
(57)【要約】【課題】  吸収した水分が口腔内治療用のスペーサーの吸収能力を超えた場合や患者が舌や頬を動かしてしまった場合でも治療部位に水分を接触させてしまうことのない口腔内治療用のスペーサーを提供する。【解決手段】  近年のバキュームの性能向上に鑑みれば口腔内治療用のスペーサーは吸収性材料である必要はないことに着目し、非吸水性材料から構成される口腔内治療用のスペーサーとした。例えば円筒状が好適に使用でき、直径は５〜３０ｍｍ、長さ２０〜１００ｍｍであると使い易い。【選択図】  図２
2010162093.tif 000002
【特許請求の範囲】
【請求項１】
非吸水性材料から構成される口腔内治療用のスペーサー。
【請求項２】
非吸収性材料がゴム系材料及び／または合成樹脂材料からなる請求項１に記載の口腔内治療用のスペーサー。
【請求項３】
非吸水性材料が気体及び／または液体を内包した構造である請求項１または２に記載の口腔内治療用のスペーサー。
【請求項４】
非吸水性材料が外部と連通穴を有する中空状である請求項１または２に記載の口腔内治療用のスペーサー。
【発明の詳細な説明】
【技術分野】
【０００１】
本発明は、口腔内治療用に用いられ、治療部位に口腔内組織が接触しないように及び治療部位に口腔内の水分が接触しないように治療部位と口腔内組織間に位置させ空間を設けるための口腔内治療用のスペーサーに関する。
【背景技術】
【０００２】
歯科治療において、歯科用セメントや歯科用接着材を用いたインレーやクラウン等の歯科用補綴物の固定が行われる。このとき脱脂綿を単に短冊状に切断した方形の綿片、あるいはそれらをロール状に丸めた綿片を頬や舌等の口腔内組織が治療部位に接触しないように例えば歯牙と頬との間に挟むことで水や唾液等の液体が治療部位の手前で吸い取る工夫をしている。また、歯牙の切削の際にも口腔内治療用のスペーサーが同様にして使用されている。さらに、歯科用補綴物を接着し固定した時にセメント等の接着材が固まるまでの間に口腔内治療用のスペーサーを噛み締めることにより歯科用補綴物を確実に治療部位に固定することも行われている。これらの使用方法において、口腔治療用のスペーサーは綿やガーゼ等のある程度吸水性を有する材料が使用されていた（例えば、特許文献１参照。）。
【０００３】
しかしながら、従来の口腔治療用のスペーサーに広く使用されていた脱脂綿片や脱脂綿ロールは、口腔内の水や唾液等の水分を吸収することを目的としていたため、吸収した水分が口腔内治療用のスペーサーの吸収能力を超えた場合や、患者が舌や頬を強く動かしてしまった場合に一旦吸収した水分を口腔内に押し戻してしまい治療部位に水分を接触させてしまうことがあった。歯科用セメントや歯科用接着材は水分の接触によって接着能力が低下してしまうことから、水分に接触してしまった場合には歯科用補綴物が脱落してしまうという問題があった。
【０００４】
【特許文献１】特開平８−２４３１１６公報
【発明の概要】
【発明が解決しようとする課題】
【０００５】
患者が舌や頬を動かしてしまった場合でも口腔内治療用のスペーサーから水分が押し出されて治療部位に接触させてしまうことのない口腔内治療用のスペーサーを提供することを課題とする。
【課題を解決するための手段】
【０００６】
本発明者等は前記課題を解決すべく鋭意研究を重ねた結果、近年のバキュームの性能向上に鑑みれば口腔内治療用のスペーサーは吸収性材料である必要はないことに着目し、意外にも非吸水性材料の口腔内治療用のスペーサーを利用すれば前期課題を解決可能であることを見出して本発明を完成した。
【０００７】
即ち本発明は、非吸水性材料から構成される口腔内治療用のスペーサーである。
【発明の効果】
【０００８】
本発明は一度吸収した水分が口腔内治療用のスペーサーの吸収能力を超えた場合や、患者が舌や頬を動かして吸収した水分を押し出してしまった場合でも治療部位に水分を接触させてしまうことのない優れた口腔内治療用のスペーサーである。
【図面の簡単な説明】
【０００９】
【図１】本発明に係る口腔内治療用のスペーサーの実施例を示す斜視説明図。
【図２】本発明に係る口腔内治療用のスペーサーの別の実施例を示す斜視説明図。
【図３】本発明に係る口腔内治療用のスペーサーのさらに別の実施例を示す斜視説明図。
【発明を実施するための形態】
【００１０】
本発明に係る口腔内治療用のスペーサーは非吸水性材料により構成される必要がある。口腔内治療用のスペーサーは柔軟性を有することが好ましく、ある程度の柔軟性があれば口腔内の軟組織を痛めてしまうことなく治療に必要なスペースを確保することができる。柔軟性は従来の脱脂綿から構成されていた口腔内治療用のスペーサーと同等であることが望ましい。
【００１１】
本発明に係る口腔内治療用のスペーサーは、唾液等の水分を吸収しないことが必須であるため非吸水性材料であることが重要である。非吸水性は、治療部位の歯科用セメントや歯科用接着材等の歯科用材料に水滴が接触して硬化に影響を与えてしまうことのない程度の非吸水性であれば良く、材料工学分野で評価されている程度の定義を必要としているわけではないが、敢えて数値化すれば、１ｃｍ３の非吸収性材料において、２３℃，２４時間の水中浸漬における吸水率が１５重量％未満、好ましくは１０重量％未満であれば良い。
【００１２】
非吸水性材料としては例えば、天然ゴム，イソプレンゴム，スチレンブタジエンゴム，ブタジエンゴム，クロロプレンゴム，ニトリルゴム，ブチルゴム，エチレンプロピレンゴム，ウレタンゴム，シリコンゴム，アクリルゴム，クロルスルホン化ポリエチレンゴム，フッ素ゴム，水素化ニトリルゴム，エピクロルヒドリンゴム，多硫化ゴム等のゴム系材料が好ましく、スポンジ構造を有しないことが好ましい。その他、ポリ塩化ビニル，各種ナイロン，エチレン酢酸ビニル，ポリクロロトリフルオロエチレン，ポリエチレン，ポリスルホン，ポリプロピレン，ポリフェニルサルファイド等の合成樹脂材料も使用可能である。
【００１３】
本発明に係る口腔内治療用のスペーサーは、窒素，空気等の気体や、水，アルコール等の液体材料を非吸水性材料で形成された容器内に内包した構造であっても良い。
【００１４】
本発明に係る口腔内治療用のスペーサー形状は、例えば図１の斜視図に示す如き円筒状が好適に使用でき、直径は５〜３０ｍｍ、長さ２０〜１００ｍｍであると使い易い。その他、図示しないが角柱であったり、図２に示すように湾曲していても良い。なお、気体や液体材料を柔軟性を有する非吸水性材料で形成された容器内に内包した構造の場合には口腔内治療用のスペーサーの形状は不定形となる場合もある。
【００１５】
本発明係る口腔内治療用のスペーサーは筒状であっても良く、更に図３に示したように外部と連通穴を有する中空状であると唾液をある程度口腔内治療用のスペーサーに内包することが可能となるため好ましい。内包した唾液は従来の綿等で構成される口腔内治療用のスペーサーと比較して外に押し出されることがないという特徴がある。
【図１】
2010162093.tif 000003
【図２】
2010162093.tif 000004
【図３】
2010162093.tif 000005
(57)【要約】【課題】  酒肴や副食として供することができるように食感や食味を調整したエビの塩辛を提供する。【解決手段】  エビの肉及びエビの頭部の内容物（ミソ）を用いて塩辛を得る。前記エビの頭部の内容物は、前記塩辛の全量に対する比率が、１０重量％未満とすることが望ましく、食感調整のために多糖類増粘剤を添加することが可能であり、食味を調整するために、キムチ味、シソ味、わさび味、中華風味、味噌味、ジャン辛味から選ばれる食味を付与する添加物を適宜添加することが可能である。【選択図】なし【特許請求の範囲】
【請求項１】
エビの肉及びエビの頭部の内容物を含むことを特徴とする、エビを用いた塩辛。
【請求項２】
前記エビの頭部の内容物は、前記塩辛の全量に対する比率が、１０重量％未満であることを特徴とする、請求項１に記載のエビを用いた塩辛。
【請求項３】
多糖類増粘剤を含むことを特徴とする、請求項１または請求項２に記載のエビを用いた塩辛。
【請求項４】
キムチ味、シソ味、ワサビ味、中華風味、カレー味、味噌味、ジャン辛味から選ばれる食味を付与する添加物を含むことを特徴とする、請求項１ないし請求項３のいずれかに記載のエビを用いた塩辛。
【発明の詳細な説明】
【技術分野】
【０００１】  本発明はエビの肉を含む塩辛に関するものである。
【背景技術】
【０００２】  塩辛は、魚介類を、殆どの場合は内臓ごと塩漬けにした保存食品であり、塩漬けによって腐敗を防止するとともに、熟成によって生じるアミノ酸により旨味を付与されることもある。居酒屋などにあっては、そのまま、あるいは大根おろしなどと合わせ酒肴として提供され、家庭にあっては、食事の際に副食としたり、米飯の上に載せて茶を注ぎ、茶漬けにしたりする例が多い。【０００３】  素材としては、各種のイカが一般的であり、店頭で販売されているものも、イカを用いたものが多い。その一般的な製法は、適当な大きさに切断した魚介肉及び内臓の全量に対し、約１０重量％ないし飽和量の食塩を添加して攪拌した後、熟成させるというものである。【０００４】  また、イカ以外の食材についても、例えば特許文献１には、タコの塩辛の製造方法が、特許文献２には、牡蛎の塩辛の製造方法が、特許文献３には、フグの塩辛の製造方法が開示されている。一方で、エビについて見ると、輸入量では９０年代後半にアメリカに抜かれたものの、一人当たりの消費量で見ると、今なお日本は世界一の消費国であるにも関わらず、塩辛として食用に供する先行技術が見受けられない。【０００５】  これは、エビの消費形態が、生食、天麩羅、フライ、寿司などが殆どであることと、塩辛として多用されるイカに比較すると、その食感の違いが大きいことに起因すると考えられる。しかし、エビを塩辛として提供することは、エビ保存性向上や食生活の多様化に寄与するという観点から有用である。【０００６】
【特許文献１】  特開昭４９−０８５２７０号公報
【特許文献２】  特開昭５４−０３７８６８号公報
【特許文献３】  特開平０２−２６８６３９号公報
【発明の開示】
【発明が解決しようとする課題】
【０００７】  従って、本発明の課題は、酒肴や副食として供することができるように食感や食味を調整したエビの塩辛を提供することにある。
【課題を解決するための手段】
【０００８】  本発明は、前記の課題解決のために、エビの処理方法や食感、食味を調整するための食品添加剤や香料の添加を検討した結果なされたものである。【０００９】  即ち、本発明は、エビの肉及びエビの頭部の内容物を含むことを特徴とする、エビを用いた塩辛であり、前記エビの頭部の内容物は、前記塩辛の全量に対する比率が、１０重量％未満とすることが望ましく、食感調整のために多糖類増粘剤を添加することが可能であり、食味を調整するために、キムチ味、シソ味、ワサビ味、中華風味、カレー味、味噌味、ジャン辛味から選ばれる食味を付与する添加物を適宜添加することが可能である。
【発明の効果】
【００１０】  本発明による塩辛においては、エビの剥き身に、エビの頭部に内容物を加え、さらに食品に粘りやぬめりを付与するために用いられる多糖類増粘剤を添加することにより、従来の調理法によるエビでは味わうことができない食感を得ることができる。なお、エビの頭部の内容物は、慣用的にカニミソと同様にミソと称されることが多いので、以下、ミソと記す。【００１１】  また、本発明においてミソの添加比率を塩辛の全量に対して１０重量％未満としたのは、有頭エビから採取できるミソの量が限られていることと、過度に加えるとエビ本来の風味が損なわれるからである。【００１２】  さらに本発明による塩辛においては、エビ本来の淡白な食味を活用して、様々な食味を付与する素材や添加物を添加することにより、基本的な塩味の他に、添加物に応じた食味を呈するようにすることも可能である。例を挙げれば、唐辛子などを加えたキムチ味などがある。
【発明を実施するための最良の形態】
【００１３】  次に、具体的な製法に基づいて、本発明の塩辛の実施の形態について説明する。【００１４】  まず、有頭エビを準備し、剥き身とミソを分離する。エビとしては、甘エビやボタンエビを用いることができる。この際、ミソは赤い部分のみを取り出し、１０％のエタノール水溶液で消毒した後、十分に水切りを施す。【００１５】  次に、エビの剥き身１００重量部に対し、５重量部の食塩と、５重量部のミソ、５重量部の多糖類増粘剤を加えて混合攪拌し、７０℃で約３０分保持し、殺菌処理を施す。この後、冷蔵庫に入れて熟成させることにより、本発明のエビを用いた塩辛が得られる。なお、ここでは、多糖類増粘剤として、株式会社ショクセンの「オルノＴＢ−１」を用いた。【００１６】  以上に説明したのは、基本的な塩味の塩辛で、他の食味を付与するには、香料や調味料を添加する必要がある。例えば、キムチ味を得るには、定法により粉唐辛子、おろしにんにく、刻みネギ、刻みニラ、おろしショウガ、刻み昆布などを適宜加えて食味を調整すればよい。また、ワサビ味やシソ味を得るには、おろしワサビや刻みミソを適宜加えればよい。【００１７】  以上に説明したように、本発明によれば、従来とはまったく異なる食感や食味を呈するエビを用いた塩辛を提供することができる。なお、本発明は前記実施の形態に限定されるものではなく、本技術分野における通常の知識を有する者が想到し得る変形、修正など、例えば、エビとして、甘エビ、ボタンエビ以外のエビを用いた場合も、本発明に含まれることは論を俟たない。
(57)【要約】      （修正有）【課題】従来のコンクリートドリルでは、コンクリートに穿孔作業をする時、キリが長い為、粉じん等が作業者に降りかかっていました。【解決手段】塩化ビニール管で心棒を作りその中に打ち込み長さ調整用のバネを取り付け、先端に透明の粉じんよけのカップを取り付けます。【選択図】図１
2010162858.tif 000002
【特許請求の範囲】
【請求項１】
コンクリートドリルに関する粉じん等をカバーする為の補助的な道具。
【発明の詳細な説明】
【技術分野】
【０００１】本発明は、コンクリート粉じん等をカバーする為のコンクリート用長キリの補助的工具にかんする。
【背景技術】
【０００２】従来のコンクリートドリルには、５０ｃｍ以上の長いキリを施した物がある。
【発明の開示】
【発明が解決しようとする課題】
【０００３】従来のコンクリートドリルでは、コンクリートに穿孔作業をする時、キリが長い為、粉じん等が作業者に降りかかっていました。
【課題を解決する為の手段】
【０００４】長いコンクリートドリルのキリにカバーをつけます。
【発明の効果】
【０００５】作業者に粉じんがかかるのを、防ぎます。
【発明を実施するための最良の形態】
【０００６】塩化ビニール管で心棒を作りその中に打ち込み長さ調整用のバネを取り付け、先端に透明の粉じんよけのカップを取り付けます。
【図面の簡単な説明】断面図です、φ１６のパイプの中に調整用のバネを取り付けφ１３のパイプを差し込んで、先端に透明のカップを取り付けてあります。
【図１】正面から見た断面図です。
【図１】
2010162858.tif 000003
(57)【要約】      （修正有）【課題】頁の移り目を改良するにあたり、用紙に特殊加工を施す必要がないため、冊子が高価になる欠点を持たず、使用方法も普通の頁物を扱う方法でよい冊子を提供する。【解決手段】一連の頁物冊子を奇数頁１と偶数頁２に分類して、奇数頁１ものは奇数頁１同士を集めて、後の頁の上に前の頁を順序良く積み重ねて冊子とし、偶数頁２ものは偶数頁２同士を集めて、後の頁の上に前の頁を順序良く積み重ねて冊子とし、出来た２冊の冊子を任意に並べて使用する。【選択図】図１
2010162860.tif 000002
【特許請求の範囲】
【請求項１】
一連の頁物冊子を奇数頁偶数頁に分類して奇数頁ものは奇数頁同士を集め後の頁の上に前の頁を順序良く積み重ね冊子とし、偶数頁ものは偶数頁同士を後の頁の上に前の頁を順序良く積み重ね冊子とし出来た２冊の冊子を並べて使用する用具。
【発明の詳細な説明】
【技術分野】本発明は一連の冊子物の頁の移り目の改良に係わるものである。
【背景の技術】
従来の頁の移り目改良には各用紙に色々と特殊紙加工を施す等の必要が有り冊子が高価になる欠点があった又冊子の使用方法も特種で不便でもあった。
【発明の開示】
当発明の方法は一連の冊子の全頁を奇数頁組と偶数頁組に分割して双方２冊を並べて使用するだけで巻物書類を使用しているような頁移り時感覚を得るのである。用紙に特別加工を施す必要は全くなく通常の頁物冊子を作る普通の方法で完成出来るので当発明は非常に安価に目的が達成出来る特徴を有するものである。又使用方法も普通頁物を扱う方法でよく、簡単である。
【発明が解決しようとする課題】
当発明は頁物冊子書類の頁移りの不便さをなくし巻物書類を見る感覚にしたものである。
【課題を解決しようとする手段】
当発明の方法は全体の冊子を奇数頁物と偶数頁物に分類して２冊の冊子を作り用途目的に合わせて任意に並べて使用する非常に簡単で安価な方法なので非常に有益である。また２組の冊子をそれぞれの箱に入れたり袋に入れたり各種金具やクリップで止めて使用する事も出来る。
【発明の効果】
当発明は頁物冊子で有りながら巻物書類の様に頁の移り目前後の様子が理解しやすく自然の感覚で見ることが出来る。又巻物書類より保管、取扱い、管理が便利になるし小型化も出来る。しかも当発明の構成は従来のいかなる方法より安価なので非常に多くの用具に活用できる。
【発明を実施する為の最良の形態】
記事内容に一連の連続性が重要なものに特に効果が出る。例えば各種の工程表や計画表や暦等又時刻表や列車のダイヤ表又音楽の楽譜帳やテレビの番組表等に使用すると巻紙の様に連続性が自然となり便利になる。又各種地図帳や各種の案内地図帳等も小型化出来るし説明文も詳細に入る便利な地図帳が完成する。
【実施例】当発明を作業の工程表や計画表に又年間の暦等に使用した一実施例を図示し説明する。工程表を記した一連の頁のうち符号（１）に奇数頁だけを、符号（２）に偶数頁だけを積み重ねて冊子状としてある。符号（Ａ）（Ｂ）は各冊子が散らばらない様に天糊又は金具類で止めてある。符号（Ｃ）は冊子の置台で色々の形や用具を用いることが出来る。使用方法は頁の順番に捲ると左右交互に捲ることになる。又暦として使用する場合、符号（１）が奇数月で符号（２）が偶数月として同様に活用する。
【産業上の利用可能性】巻物書類の表示の連続性と冊子書類の保管、管理の便利性が兼備される当発明は非常に多くの用具に活用出来るし又従来のいかなる方法よりも安価に構成出来る特徴を持っている。そして使用活用方法も非常に簡単であるし電気も不要でである。
【図面の簡単な説明】図（１）は当発明用具の見取図で頁物冊子の奇数頁群と偶数頁群に分け２冊に台の上に並べた用具を示す。
【符号の説明】図中（１）の符号は頁物冊子の奇数頁を集めて後頁より順次前頁に積み重ねた冊子を示す。図中（２）の符号は頁物冊子の偶数頁を集めて後頁より順次前頁に積み重ねた冊子を示す。（Ａ）（Ｂ）の符号は各冊子を天糊又は金具で止めた所をを示す。（Ｃ）は両冊子を乗せた台板を示す。
【図１】
2010162860.tif 000003
(57)【要約】      （修正有）【課題】丸のこ定規をつけたままだと、頭の部分が邪魔になり、他の材料が切れなくなる。そのため、丸のこ定規を外すと、また同じ寸法で切りたいときに、微妙なくるいが生じてしまう。【解決手段】丸のこ定規の首の部分につまみを付け、つまみを緩めることにより頭の部分を回転できるようにする。それにより、定規を微動だにすることなくどんな材料も自由自在に切ることができる。【選択図】図１
2010162857.tif 000002
【特許請求の範囲】
【発明の詳細な説明】
【技術分野】
【０００１】本発明は建築道具の丸のこに取り付ける定規に関するものである。
【背景技術】
【０００２】従来の丸のこ定規はべにや板、コンパネ、集成材などを一定の幅でまっすぐに切る為の物であり、定規を取り付けたまま何枚も同じ寸法で切ることが出来るが、逆にまだその寸法で何枚か切りたいけど垂木や角材など他の材料を切らなければならないときに定規の頭の部分が邪魔になり、わざわざ定規を外し角材などを切らなければならない。そして、また定規を取り付け、同じ寸法で切ろうとするが、まったく同じ寸法で切ることは容易ではない。
【発明が解決しようとする課題】
【０００３】ベニヤ板、コンパネ、集成材など、今切っている材料をまだ同じ寸法で切りたいのに、その前に他の材料を切らなければならなくなった時に、微妙な誤差がでるのをわかったうえで定規を外さなければならない。
【課題を解決する為の手段】
【０００４】上記のことを解決するために、丸のこ定規の首の部分が上に折り曲がるようにする。
【発明を実施するための形態】
【０００５】以下の、本発明の詳細を図に示した実施例に基づき説明する。定規を横からみた［図１］において、定規の首の部分につまみ１を取り付け、つまみ１をゆるませることにより、頭の部分である２を回転させる。
【０００６】［図２］のように頭の部分を回転させることにより、材料に対して一切邪魔にならないので、垂木や角材でもベニヤでも他の材料を自由自在に切ることができる。
【０００７】［図２］の状態を［図１］の状態に戻すことにより、もとどうりの寸法で、材料を切ることができる。
【図面の簡単な説明】
【０００８】
【図１】  丸のこ定規を横から見た図である。
【図２】  丸のこ定規の頭の部分が回転してる図である。
【符号の説明】
【０００９】  １          丸のこ定規
２          頭の部分
３          首の部分
４          つまみ
５          頭の部分が回転してる図である。
【図１】
2010162857.tif 000003
【図２】
2010162857.tif 000004
【手続補正書】
【提出日】平成22年1月3日(2010.1.3)
【手続補正２】
【補正対象書類名】特許請求の範囲
【補正対象項目名】全文
【補正方法】変更
【補正の内容】
【特許請求の範囲】
【請求項１】
従来の丸のこ定規は、Ｔの字型の定規を丸のこにはめることにより、ベニヤ板などなどの材料を一定の幅で切ることができる。
しかし、同じ幅でまだまだ切らなければならないのに、垂木や角材などを切りたくなるときがしばしばでてくるが、その時にＴの字型をしている定規の頭の部分が邪魔になり、面倒でもいったん丸のこから定規を外さなくてはならない。しかも、また、まるっきり同じ寸方で切ることは容易ではない。
そこで、丸のこ定規の首の位置が回転できるようにつまみを付けてあげることにより、寸分狂わずにベニヤ板などの材料を切りながら、合い間に垂木や角材なども切ることができる。
(57)【要約】【課題】  ファイルに保持される書類の量が背表紙の幅よりも少量であっても、表表紙と裏表紙とを、背表紙と同じ間隔に保持することによって、ファイルを陳列した場合やファイルを抜き出した場合であっても、隣接するファイルとの表紙間に空間ができ転倒することを防止することが可能な着脱式表紙間隔保持装置を提供する。【解決手段】  両端部に設けられている溝にファイルの表表紙と裏表紙の上（下）縁部を挿入することによって表紙間隔をファイルの背表紙の幅に保持することを可能とする板状部材からなる。【選択図】図１
2010162859.tif 000002
【特許請求の範囲】
【請求項１】
両端部に設けられている溝にファイルの表表紙と裏表紙の上縁部または下縁部を挿入することによって表紙間隔をファイルの背表紙の幅に保持することを可能とする板状部材からなる着脱式表紙間隔保持装置。
【発明の詳細な説明】
【技術分野】
【０００１】  本発明は、書類の着脱が可能なファイルにおいて表表紙と裏表紙の間隔を一定に保持するための装置に関する。
【背景技術】
【０００２】  これまで、特開平１０−１３８６７６号公報に記載されているもののように、表表紙と裏表紙の各開放端のいずれか一方に取り付けた蝶番と、その蝶番に支えられた基端支軸と背表紙の幅に大略等しい長さの自由端とを有するスペーサと、表表紙と裏表紙の各開放端の他方に取り付けた前記スペーサの自由端の仮止め材と、から成るものが提供されている。
【特許文献１】特開平１０−１３８６７６号公報
【発明の開示】
【発明が解決しようとする課題】
【０００３】  書類の着脱が可能なファイルは、背表紙の幅が保存可能な上限量の書類を保持することができる幅に設定されている。また、通常、ファイルは陳列して保管することが多い。保持可能な上限量の書類を保持したファイルは、書類の厚みと背表紙の幅に大差がなく、表表紙と裏表紙が平行となり、同様の保持可能な上限量の書類を保持したファイル同士を陳列した場合においても、ファイル相互の表紙が接触し合い、倒立が安定している。【０００４】  しかしながら、ファイルを使用し始めた際には、ファイルに保持される書類の量は少量であり、表表紙と裏表紙が平行とならず、ファイルを陳列した場合、隣接するファイルの表紙間に空間ができ倒立が安定せず、転倒することがある。【０００５】  さらには、ブックエンドなどにより数冊のファイルの各両端部を固定した場合においても、ブックエンド面とそれに接触するファイル表紙の間に空間が生じ安定して固定することが困難である。また、陳列したファイルからファイルを抜き出した場合、隣接するファイルが転倒し、ファイルを定位置に戻す際には、隣接するファイルを再び整列させる手間を要する不自由さがあった。【０００６】  そこで、本願発明は、上記問題を解決すべく、ファイルの表表紙と裏表紙との間を平行に保つための表紙間隔保持装置を提供することを目的としている。
【課題を解決するための手段】
【０００７】  本願発明による表紙間隔保持装置は、装置両端部に平行に設けられた溝に表表紙と裏表紙の上縁部または下縁部を挿入することによって、ファイルの表表紙と裏表紙を平行に保つことを特徴とする。【０００８】  表紙間隔保持装置は着脱可能であり、取り付け部は上縁部に限定されることはなく、上縁部と下縁部の両方に装着することにより安定性がさらに向上する。【０００９】  表紙間隔保持装置を構成する素材は特に限定されることはないが、強度および保形性がある紙、ポリプロピレン、金属等を採用するのが望ましい。また、厚さも特に限定されることはないが、装置同士の接触により、隣接するファイル間の空間が生じることを避けるために、薄い方が望ましい。
【発明の効果】
【００１０】  上記の構成からなる表紙間隔保持装置をファイルに装着することによって、ファイル中に保持された書類の量に関わらず、表表紙と裏表紙を平行に保持することが可能となる。よって、ファイルを陳列した場合も、倒立が安定し、ファイルの抜き取り時の隣接するファイルの転倒を防止することができる。さらに、ブックエンドを使用する場合においても、ブックエンドが表紙間隔保持装置側縁部と平行に接触することが可能となり、ファイルの倒立を安定して固定することができる。【００１１】  また、当該表紙間隔保持装置をファイルに装着することによって、ファイル中に保持された書類に付着するほこり、汚れ等の進入を防止することが可能となる。さらに、ファイルに装着した当該表紙間隔保持装置の板状部材上には、筆記用具等の小物を置くことも可能で、利用上の波及効果も予測される。
【発明を実施するための最良の形態】
【００１２】  本願発明の実施の形態を下図に基づいて説明する。【００１３】  図１は、本願発明の着脱式表紙間隔保持装置の実施の形態を示す。図１に示すように装置は、市販のファイルの背表紙と同じまたは短めの幅と、表紙の上（下）縁部と同じまたは短めの長さである板状部材からなり、両端部に溝１、２が設けられている。溝１、２はファイルの表表紙と裏表紙の上（下）縁部を挿入することができる幅を備えている。溝１、２の深さは、ファイルに書類が保持された状態で、書類の上（下）縁部からファイル上（下）縁部と書類の上（下）縁部までの長さを上限とする約５ｍｍ以下に設定されている。【００１４】  図２は、市販のファイルの上縁部に着脱式表紙間隔保持装置を装着した状態を示している。着脱式表紙間隔保持装置は着脱が可能であり、保持された書類の量が少ないファイルを陳列する場合等、必要に応じて装着し使用することが可能である。また、ファイルを取り出し、書類を閲覧する際には、ファイルから着脱が可能であるため、閲覧の邪魔にならない。
【図面の簡単な説明】
【００１５】
【図１】  本願発明による着脱式表紙間隔保持装置の実施の形態を示す斜視図である。
【図２】  本願発明の着脱式表紙間隔保持装置をファイルに装着した状態を示す斜視図である。
【符号の説明】
【００１６】  １  溝
２  溝
【図１】
2010162859.tif 000003
【図２】
2010162859.tif 000004
(57)【要約】【課題】塗装用ローラーを保管する際に簡単に洗い、尚且つ塗料の再付着と変形をなくしたローラー保管器具を提供する。【解決手段】保管器具２，３にローラーを挿して立てる事でローラーの変形をなくし、また４，５を形成した事でローラーから溶け出した塗料の再付着をなくした。【選択図】図１
2010162525.tif 000002
【特許請求の範囲】
【請求項１】
塗装工事でよく使われているローラーを棒状にした物に挿して立てる、この棒状のローラー立てを特徴とするローラー保管器具。
【請求項２】
棒状の物には、ローラーが固定板まで落ちない様にストッパーを形成している、このストッパーを特徴とするローラー保管器具。
【発明の詳細な説明】
【技術の分野】
【０００１】本発明は、塗装用ローラーの保管の際に使用する物で、固定板に棒状の物を立て、その棒状の物にローラーを挿して立てる事でローラーの変形をなくし、塗装の用途に応じローラーの取り出しも簡単になった、また密閉可能な容器の中に保管器具を入れ、棒状の物にローラーを挿し、少量のシンナーや水を入れる事でローラーの乾燥を防ぎ、またローラーの持ち運びも楽にした。
【背景技術】
【０００２】従来、塗装用ローラーの保管の際には、シンナーや水で何度もローラーを繰り返し洗う事が必要であり、大量のシンナーや水が必要であった、その為シンナーなどは産廃業者に頼んで処理をしてもらっていた。【０００３】また、ローラーを塗装作業の合間などに洗い上げるのは大変な為、バケツなどにシンナーや水を入れ、その中にローラーを入れ保管していたが、ローラーから塗料が溶け出しバケツの底に溜まりローラーに塗料が再付着し固まる事が多かった、また数本のローラーをバケツ内に入れる事で、ローラーが重なり合い変形してしまい塗装作業に支障をきたした。
【発明が解決しようとする課題】
【０００４】従来、塗装用ローラーを保管する際には、塗料が少しでもローラーに残らない様に洗う事が必要であり大変な手間を要し、シンナーや水を大量に使用しなければならなかった。
【０００５】ローラー塗装後、ローラーを簡単に洗いバケツなどに大量のシンナーや水を入れ、その中にローラーを入れて保管していたが、その保管方法ではローラーが重なり合い変形も多く見られ、使用出来なくなる事もあった、またローラーから塗料が溶け出しバケツの底に溜まりローラーに再付着し、ローラーが固くなり使用出来なくなる事もあった。
【０００６】バケツなどに大量のシンナーや水を入れ、その中に数本のローラーを保管し、塗装現場などに持ち運んでいたのだが、大量のシンナーを入れて持ち運ぶ事は大変危険であった。
【課題で解決するための手段】
【０００７】本発明は、塗装用ローラーを大量のシンナーや水を使用せずにローラーを簡単に洗い、保管器具に立てて容器に入れる事により大量のシンナーや水を使わず、少量でローラーを保管出来るようになった。
【０００８】また、保管器具にローラーを立てる事でローラーの変形をなくし、ローラーの出し入れも簡単に出来る様になった。
【０００９】また、保管器具には棒状にしたステンレス、アルミ、樹脂などを使用し、その棒状の物には固定版から３ｃｍ程度の所にストッパーを設ける事で、底に溜まった塗料がローラーに再付着する事を防止出来る。
【発明が実施するための最良の形態】
【００１０】図１は、本発明に係る保管器具の側面図であり、保管器具の２，３は塗装用ローラーを挿して立てる物で、ローラーを立てる事でローラー同士が重ならず、変形がなくなり、また余分な水やシンナーを除去する事が出来る。
【００１１】また、２，３には７から約３ｃｍ程度の所にローラーが下まで落ちない様に４，５を設け、塗料の再付着を防止する物である。
【００１２】また、１を設ける事で保管器具を持ち運んだり、容器から出し入れをする際には、持ち手として使用する物である。
【００１３】図３の７は１，２，３を固定する板であり、その円盤状にした素材は水やシンナーでも変形などを起こさない材料を使用している。
【図面の簡単な説明】
【００１４】
【図１】ローラー保管器具の側面図である。
【図２】ローラー保管器具の断面図である。
【図３】ローラー保管器具の平面図である。
【図４】ローラー保管器具の裏面図である。
【図５】ローラー保管器具を密閉容器に入れた際の側面図である。
【符号の説明】
【００１５】１      取手
２      ローラー立て（小）
３      ローラー立て（大）
４      ストッパー（小）
５      ストッパー（大）
６      ローラー立て固定ネジ
７      ローラー立て固定版
８      水抜き穴
９      密閉可能な容器
【図１】
2010162525.tif 000003
【図２】
2010162525.tif 000004
【図３】
2010162525.tif 000005
【図４】
2010162525.tif 000006
【図５】
2010162525.tif 000007
(57)【要約】      （修正有）【課題】塗装用ローラーで塗装後、洗う際に水圧でローラーを回転させ塗料を洗い落とすローラー洗浄容器を提供する。【解決手段】塗装用ローラーを洗う際、ローラーを棒状の回転軸に挿入し、ローラーと平行に立てた噴射パイプ５に噴射口４を開け、その噴射口４から出た水をローラー１１に当て圧力をかけ、水圧でローラー１１を回転させる事でローラに付いた塗料を、洗い落とすことができ、短時間で綺麗にローラ１１を洗う事が出来る。【選択図】図１
2010162526.tif 000002
【特許請求の範囲】
【請求項１】
塗装工事などに使用されているローラーを棒状の物に挿し、ローラーと平行に立てたパイプに小さい穴を開け、その穴から水を噴射させローラーに当て圧力をかけ回転させる事で、ローラーに付いた塗料を洗い落とす事が出来る、この噴射式圧力洗浄を特徴とするローラー洗浄機。
【発明の詳細な説明】
【技術の分野】
【０００１】本発明は、塗装用ローラーを高圧の水で洗う物で容器内に棒状の物を立て、その棒状の物にローラーを挿し、ローラーと平行に縦に小さい穴を開けたパイプを立て、そのパイプに水を送れば縦に小さく開けた穴から水が噴射され、噴射の圧力でローラーを回転させながらローラーを洗う事が出来る。
【背景技術】
【０００２】従来は、塗装用ローラーを洗う時ローラー用バケツなどにローラーを入れ転がしながら洗う方法と水道ホースで水を掛けながら手で洗う方法しかなかったが、その洗い方では時間が掛かり、また大量の水を必要としていた。
【発明が解決しようとする課題】
【０００３】従来、塗装用ローラーを洗う時は、水道の水をローラーに直接掛け手で洗う方法と、ローラー用バケツなどに水を入れ転がしながら洗っていたが、その洗い方では時間が掛かっていた。
【０００４】また、塗装用ローラーを洗う際に大量の水を必要としていた。
【課題で解決するための手段】
【０００５】本発明は、容器内に棒状の物を立て、それにローラーを挿し、それと平行に立てたパイプに水圧をかけシャワー状に水を出しローラーに当て回転させる事で、ローラーの中まで入り込んだ塗料を遠心力でローラー表面に出し、洗い落とす事が出来る。
【０００６】また、ローラーを洗う際パイプの小さい穴から水が出る為、水量と時間を約半分にする事が出来る。
【発明が実施するための最良の形態】
【０００７】図１は、本発明に係るローラー洗浄容器内の側面図であり、４から出た水が１１に当たり、１１に付いた塗料を４の水圧で１１を回転させ洗い落とす事が出来る。
【０００８】また、８から送られた水は５に入り、４から出る水の水圧により１１に噴射されるのだが、噴射の水圧は７で調節する事が出来る、また、噴射角度は１で調整する事が出来る。
【０００９】また、４では穴の大きさや穴の数や角度を変える事で、水圧や水量も変える事が出来る。
【００１０】また、９は１１が回転する時に、同時に回転する物である。
【００１１】図３の１２は、１１を洗い流した水を３から出す穴である。
【図面の簡単な説明】
【００１２】
【図１】ローラー洗浄容器内の側面図
【図２】ローラー洗浄容器の断面図
【図３】ローラー洗浄容器の側面図
【図４】ローラー洗浄容器の平面図
【符号の説明】
【００１３】１      噴射角度調節ネジ
２      容器蓋
３      容器
４      噴射口
５      噴射パイプ
６      自在ネジ
７      水圧コック
８      水ホース
９      回転軸
１０    ストッパー
１１    ローラー
１２    水抜き穴
１３    取手
【図１】
2010162526.tif 000003
【図２】
2010162526.tif 000004
【図３】
2010162526.tif 000005
【図４】
2010162526.tif 000006
(57)【要約】      （修正有）【課題】食品加工の脱水、脱油に使用する従来型上部排出バッジ式遠心脱水機の投入排出を自動化し、生産ラインからバッジ作業を省く事ができる全自動連続上部投入排出遠心脱水機を提供する。【解決手段】脱水バケット１と同脱水バスケットの底板２の中央に連結された中空軸３と同中空軸に連結された従動プーリー４と同中空軸に接触しないように配置された昇降装置取付台５と同昇降装置取付台中央に配置された昇降装置６と同昇降装置上部に回転自在に取り付けられた排出プーレート取付台７と同取付台に取り外し可能に取り付けられた排出プレート８と同排出プレート先端に設置された排出プレートスクレーパー９とで構成されている。【選択図】図１
2010162524.tif 000002
【特許請求の範囲】
【請求項１】
脱水物は、排出プレートを上昇させ上部より排出することを特徴とする全自動連続上部投入排出遠心脱水機。
【請求項２】
脱水バスケット駆動中空軸を排出プレート昇降装置及び同昇降装置取付台が中空軸に接触しないで取付可能な大きさの中空軸にしたことを特徴とする請求項１記載の全自動連続上部投入排出遠心脱水機。
【請求項３】
請求項２記載の中空軸の中央に排出プレート昇降装置取付台を配置したことを特徴とする請求項１記載の全自動連続上部投入排出遠心脱水機。
【請求項４】
請求項３記載の昇降装置取付台に排出プレート昇降装置を配置したことを特徴とする請求項１記載の全自動連続上部投入排出遠心脱水機。
【請求項５】
請求項４記載の昇降装置上部に排出プレートを自由に回転させることができる排出プレート取付台を備えることを特徴とする請求項１記載の全自動連続上部投入排出遠心脱水機。
【請求項６】
排出プレートが下にあるとき中空軸又は脱水バスケット底部で、上にあるとき脱水バスケット上部に設置されたストッパーで排出プレートを回転させることを特徴とする請求項１記載の全自動連続上部投入排出遠心脱水機。
【請求項７】
排出プレートを排出プレート取付台から取り外せることを特徴とする請求項１記載の全自動連続上部投入排出遠心脱水機。
【請求項８】
脱水バスケット上部ツバに設置したツバ延長プレートを取り外して外胴を取り外し内部洗浄を容易にできることを特徴とする請求項１記載の全自動連続上部投入排出遠心脱水機。
【請求項９】
外胴に洗浄口を設置し外胴を外さないで脱水バスケット、濾過液受け皿を容易に洗浄することができることを特徴とする請求項１記載の全自動連続上部投入排出遠心脱水機。
【請求項１０】
上蓋内部にスクレーパーを設置し低速回転時の排出を可能したことを特徴とする請求項１記載の全自動連続投入排出遠心脱水機。
【請求項１１】
排出プレートの先端にスクレーパーを設置することを特徴とする請求項１記載の全自動連続投入排出遠心脱水機。
【請求項１２】
脱水バケット底板に洗浄穴を設け内部洗浄簡易にすることを特徴とする請求項１記載の全自動連続投入排出遠心脱水機。
【発明の詳細な説明】
【技術分野】
【０００１】  この発明は、食品加工の脱水、脱油に使用する従来型の上部排出バッジ式遠心脱水機を全自動で上部投入排出を可能にし、サニタリー性を重視した技術で、生産ラインの自動化、省力化、重労働軽減を実現できる技術である。
【背景技術】
【０００２】  従来から食品加工の脱水、脱油行程からバッチ作業をなくして自動化することが求められている。
【発明の開示】
【発明が解決しようとする課題】
【０００３】  従来型の上部排出バッジ式遠心脱水機の投入排出の全工程を自動的に行うことを課題とする。
【課題を解決するための手段】
【０００４】  上記の課題を解決するために、脱水バスケット内部に昇降する排出プレートを設置し、下のとき投入脱水し、上昇させて自動的に排出する。【０００５】  排出、投入時はバスケットを低回転にして脱水物を痛めないようにする。【０００６】  上蓋に設置したスクレーパーで低回転時の排出を可能にする。【０００７】  排出プレートの先端にスクレーパーを設置して脱水物の残留を防止する。
【実施例】
【０００８】  以下、本発明に係わる全自動連続上部投入排出遠心脱水機の実施例について説明する。
図１は、本発明に係わる全自動連続上部投入排出遠心脱水機を示している。本発明に係わる全自動連続投入排出遠心脱水機は脱水バケット１と同脱水バスケットの底板２の中央に連結された中空軸３と同中空軸に連結された従動プーリー４と同中空軸に接触しないように配置された昇降装置取付台５と同昇降装置取付台中央に配置された昇降装置６と同昇降装置上部に回転自在に取り付けられた排出プーレート取付台７と同取付台に取り外し可能に取り付けられた排出プレート８と同排出プレート先端に設置された排出プレートスクレーパー９と脱水バスケットの内径に僅かに突き出して配置されたストッパー１０と同脱水バスケットの上部ツバ１１の上に配置されたツバ延長プーレート１２と同ツバ延長プレート上に配置され排出スクレーパー１３とモーター１４に連結された駆動プーリー１５と同脱水バスケットを回転させるベルト１６と外胴１７と同外胴に設置された洗浄口１８と濾過液受け皿１９と同濾過液受け皿と同中空軸とを回転自在に固定する軸受け２０と同脱水バスケットの底板の洗浄穴２１と同外胴の上蓋２２とで構成されている。
【図面の簡単な説明】
【０００９】
【図１】  本発明の、一実施形態示す立面図である。
【符号の説明】      １  脱水バスケット
２  底板
３  中空軸
４  従動プーリー
５  昇降装置取付台
６  昇降装置
７  排出プレート取付台
８  排出プレート
９  排出プレートスクレーパー
１０  ストッパー
１１  上部ツバ
１２  ツバ延長プレート
１３  排出スクレーパー
１４  モーター
１５  駆動プーリー
１６  ベルト
１７  外胴
１８  洗浄口
１９  濾過液受け皿
２０  軸受け
２１  洗浄穴
２２  上蓋
【図１】
2010162524.tif 000003
(57)【要約】【課題】本発明は、五本指靴下から発展し、その良さを残し、悪い点を改善し新しいフットケアを創造するものであり、それは、見栄と、使いづらさ、無駄な点などであります。【解決手段】本発明は、靴下の足の指部分を３等分して、２ケ所切れ目を入れ、はきやすく右と左を同じ形にすることによりどちらでも履けるようにし、利便性を高め、なお、この２ケ所の指の空いた場所に、鼻緒の取り付け場所をもってきて、より丈夫にし、履きやすいはきものを作りました。【選択図】図１
2010285732.tif 000002
【特許請求の範囲】
【請求項１】
靴下の足先の部分を３等分に分けて、一つは親指まん中は人差し指と中指、もう一つはくすり指と小指をそれぞれ差し込むように作る。特徴は切り込みを二ケ所入れるということである。
【請求項２】
この靴下を履いて使うにあたって前方に２ケ所の鼻緒の取り付け場所のあるはきもの
【発明の詳細な説明】
【技術分野】
【０００１】この発明は、靴下の水虫対策として五本指靴下が出てきていますが、この指の部分を三本に分けたという、靴下の形態に関するもの
【背景技術】
【０００２】靴下を作るにあたって爪先に切れ目を入れることはなかったが、最初は一ケ所であった、日本のはきものを履くために親指だけを独立させた。次に水虫対策ということで五本の指全部を独立させて、五本指靴下が現われた。
【発明の概要】
【発明が解決しようとする課題】
【０００３】・五本指靴下ということであるが、いちいち一本一本指を入れることが厄介である。
・右と左の靴下を入れ変えることができない。
・片方の靴下が亡くなると、その反対の靴下は使えなくなる。
・見栄えが悪い。
・五本の指を裏返えすのが不便である。
【課題を解決するための手段】
【０００４】指先の分ける部分を３ケ所にした、親指でひとつ人差し指と中指でひとつ、くすり指と小指でひとつこれらを同じ大きさに３等分した。
【発明の効果】
【０００５】・３等分ということで、ひとつひとつ指を入れなくてもよく楽になった。
・右足も左足も同じ形なので、左右入れ変えても使用できる。
・それほど足の指がはっきり分かれていないので外観は悪くは見えない。
・親指独立のはきものにも左右両用できる。
・指の間の汗も、中指と薬指の間に割り込みができるので吸ってくれる。
・健康的にも足の指を拡げる役目をして意義がある。
【図面の簡単な説明】
【０００６】
【図１】  靴下を上から見た図
【図２】  指先に２ケ所鼻緒の取り付け部分のある草履の全体図
【発明を実施するための形態】
【０００７】・五本指靴下を３本指靴下にするということであるが、右も左も同じ形である。
・下駄やサンダルにおいても、指先の鼻緒の取り付け場所を二ケ所にしてより丈夫にして履きやすいはきものにする。（図２）
【符号の説明】
【０００８】１．足を入れた状態
【図１】
2010285732.tif 000003
【図２】
2010285732.tif 000004
(57)【要約】【課題】  本発明は、セロテープ状（剥離紙付）にしたゴルフ手袋用の滑り止めテープを提供する。【解決手段】  滑り止めテープを、約１０ミリ幅のセロテープ状（剥離紙付）の形態にしたことを特徴とする。【選択図】図１
2010285731.tif 000002
【特許請求の範囲】
【請求項１】
セロテープ状（剥離紙付）にしたゴルフ手袋用の滑り止めテープ。
【発明の詳細な説明】
【技術分野】
【０００１】  この発明は、ゴルフ手袋を着用する側（右利きの人は通常左手）の手のひらに貼るためのゴルフ手袋用の滑り止めテープに関するものである。【０００２】  ゴルフ手袋と手の一体感を大切にしたいゴルファーは多数いるが、特注品でない限りぴったりくるものは少ない。
そこで主流となっているのが、ゴルフ手袋の内面側に滑り止め加工を施したものであるが、手のひらに貼る滑り止めテープはない。
たとえば、次のような滑り止め部材が提案されている。
粘着面を有する滑り止め部材を、普通の手袋の必要箇所に、消費者が用途に応じて貼付できるようにした手袋用滑り止め部材である。（特許文献１参照）
また、たとえば、次のような滑り止め部材付きゴルフ手袋が提案されている。
生地の両面に小突起を形成したシートを、ゴルフ手袋掌部の親指先端部用と他の指先端部用と親指以外の各関節間部用と中央部（舌状）用の各形に裁断し、ゴルフ手袋の内面の各箇所に接着、または、縫合することを特徴とするゴルフ手袋である。（特許文献２参照）
あるいは、グリップが当たる位置の手袋本体の表面部の掌部の一部の裏面側と親指部の表面部の一部の裏面側に、小突起物を付着させたゴルフ手袋である。（特許文献３参照）
【先行技術文献】
【０００３】
【特許文献１】特開２００１−３２１１２号公報
【特許文献２】特開２００８−２２９２９５号公報
【特許文献３】特開平１１−１０４２８７号公報
【発明の概要】
【発明が解決しようとする課題】
【０００４】  従来のものには次のような欠点があった。
手袋の内面加工タイプは、滑り止めの箇所がメーカーの施した箇所であって、個々のプレーヤーの欲する箇所とは限らない。
また、使用を重ねるうちに、滑り止め効果が徐々に劣化していく。
本発明は、以上のような欠点をなくすために考えたものである。
【課題を解決するための手段】
【０００５】  現在、文房具として売られている指先用滑り止め用品（張るタイプ）を、約１０ミリ幅のセロテープ状（剥離紙付）の形態にする。
本発明は以上のように、ゴルフ手袋用の滑り止めテープである。
【発明の効果】
【０００６】  滑り止めテープを任意の長さに切り取って、個々のプレーヤーの欲する箇所に貼れるので、手のひらだけでなく、指全体に貼ることもできる。（約１０ミリ幅なので、指の幅にちょうど良い。）
プレーヤーの工夫で任意の貼り方ができ、指に巻くこともできる。
また、マメやタコができるのを防止するため絆創膏を張って代用しているケースもあるが、マメやタコの防止と滑り止めの二重の効果があるこのテープが最適である。
さらに、プレー日ごとに貼るので、滑り止め効果は劣化しない。
ゴルフ以外のスポーツや、その他の用途にも使用できる可能性がある。
【図面の簡単な説明】
【０００７】
【図１】本発明の立体図である。
【図２】本発明の使用状態を示した平面図である。
【発明を実施するための形態】
【０００８】  以下、本発明の実施をするための形態について説明する。
滑り止めテープを、約１０ミリ幅のセロテープ状（剥離紙付）の形態にする。
本発明は以上のような構造である。
本発明を使用するときは、滑り止めテープを任意の長さに切り取って、個々のプレーヤーの欲する箇所に貼る。
手のひらだけでなく、指全体に貼ることもでき、指に巻くこともできる。
【符号の説明】
【０００９】  １  滑り止めテープ
２  剥離紙
【図１】
2010285731.tif 000003
【図２】
2010285731.tif 000004
(57)【要約】【課題】本発明は、人工睫毛を本毛睫毛に装着し、本毛睫毛の毛量を増すための付け睫毛であって、短時間で容易に、専門家を煩わせることなく、安全な方法で、自然で毛量豊富な付け睫毛を提供する。【解決手段】紙などの細幅の長尺からなるテープ体の裏片面に弱性の粘着部を形成して、テープ体の粘着面に付け睫毛の毛の根元部分を略等間隔に睫毛が生えている様に連続的に貼着したことを特徴とする付け睫毛。【選択図】図１
2010285730.tif 000002
【特許請求の範囲】
【請求項１】
薄い紙などからなる細幅の長尺状のテープ体の裏片面に、粘着性が弱い粘着部を形成し、テープ体の粘着部下縁面に、付け睫毛が生えている様に連続的に略等間隔で、付け睫毛の根元から数ミリ部分を粘着部で貼着し、付け睫毛を載置した粘着部の表面に着脱自在に剥離紙を設け、該剥離紙を剥がした後、目蓋にこのテープ体を貼り、刷毛で別途の接着剤を本毛睫毛と付け睫毛を絡み合うように一緒に塗布し、接着剤が乾燥した後、テープ体を目蓋から剥がす。以上よりなる付け睫毛。
【発明の詳細な説明】
【技術分野】
【０００１】本発明は、人工睫毛を本毛睫毛に装着し、本毛睫毛の毛量を増すための付け睫毛に関するものである。
【背景技術】
【０００２】従来、化粧品として、付け睫毛は、目蓋に専用の接着剤を用いて装着する人工毛など睫毛がテープ体と一体型の物や、人工毛などを一本一本ピンセット等で挟み接着剤で本毛睫毛に付け装着する独立型の物であった。
なを、一体型として、目蓋に付ける付け睫毛の構造のもの（特許文献１参照）や、本毛睫毛に付け睫毛を水で剥せる紙又はシート状の物で固定するものが知られている。（特許文献２参照）
【先行技術文献】
【０００３】
【特許文献１】特許公開２００８−３０３５１９号公報
【特許文献２】特許公開２００８−２９７６９０号公報
【発明の概要】
【発明が解決しようとする課題】
【０００４】そのために、次のような問題点があった。
（イ）付け睫毛を固定接着したテープ体を目蓋に装着するので鬱陶しく、テープ体は装着して一日若しくは数日で剥がれたり、洗顔すると離脱したり、逆に長期間の接着は肌荒れを起こす欠点があった。
（ロ）本毛睫毛に付け睫毛を紙又はシート状の物で固定する方法は、本毛睫毛と付け睫毛の睫毛同士が交差し、その結果、適切な長さと毛量を演出する事が出来なかったり、本毛睫毛にかかる重みで、睫毛が垂れ下がり装着するのに大変難しかった。
（ハ）付け睫毛を、一本一本ピンセット等で挟み接着剤で本毛睫毛に付け装着するには、相当な熟練を要し、専門家に依存し施術にも長時間を要した。
本発明は、これらの問題点を解決するためになされたものである。
【発明が解決するための手段】
【０００５】紙などの細幅の長尺からなるテープ体の裏片面に弱性の粘着部を形成する。テープ体の粘着面に付け睫毛の毛の根元部分を略等間隔に睫毛が生えている様に連続的に貼着する。上目蓋にこのテープ体を貼り、刷毛で別途の接着剤を本毛睫毛と付け睫毛を絡み合うように塗布し、次にテープ体を目蓋から剥がす。
以上の構成よりなる付け睫毛。
【発明の効果】
【０００６】本発明は、大量の付け睫毛を本毛睫毛に一時的に固定出来て、しかも簡単な作業で多くの付け睫毛を本毛睫毛に接着する事が可能である。外観からは本毛睫毛と付け睫毛が一体化して見えるために、本毛睫毛の毛量が豊富になり、本数と長さとカールが理想の睫毛毛量で、より自然な演出が可能である。
【図面の簡単な説明】
【０００７】
【図１】本発明の斜視図
【図２】本発明の断面図
【図３】本発明の装着状態を示す拡大斜視図
【図４】本発明の装着状態を示す拡大断面図
【図５】本発明の他の実施例を示す断面図
【発明を実施するための形態】
【０００８】以下、本発明の実施の形態について説明する。
（イ）薄くて柔らかい紙などからなる細幅の長尺状のテープ体（１）の裏片面に、粘着性が弱い粘着部（２）を形成する。
（ロ）テープ体（１）の粘着部（２）下縁面に、付け睫毛（３）が生えている様に連続的に略等間隔で、付け睫毛（３）の根元から数ミリ部分を粘着部（２）で貼着し、付け睫毛を載置した粘着部（２）の表面に剥離紙（４）を設ける。なを、付け睫毛は、Ｊカール、Ｃカール、細い太い、長い短い、シングルタイプ、束タイプとしても良い。
本発明は、以上のような構成で、これを使用者が自己使用するときは、剥離紙（４）を剥がして、付け睫毛の載置部分が本望睫毛の生え際に沿ってテープ体（１）と目蓋に挟まれるように、粘着部（２）を上目蓋に粘着させる。別途の付け睫毛用接着剤を、別途の付け睫毛用の刷毛を用いて、マスカラを使用するように本毛睫毛（５）と付け睫毛（３）部分を丁寧に一緒に梳く。これにより、本毛睫毛（５）と付け睫毛（３）の根元部分が接着剤（６）によって添え木のように一体化して塗着される。接着剤が十分乾いたころを見はかり、テープ体（１）を目蓋から丁寧に剥がす。それにより、本毛睫毛（５）と付け睫毛（３）が一体化され毛量の豊かな睫毛を呈する。
なを、図５に示すように、剥離紙（４）を設ける代わりに、テープ体（１）を長手方向に折り目を設けて折り曲部（８）としても良い。この折り曲げ部（８）に付け睫毛（３）の根元を挟みこみ保持させることもできる。この場合、別途の粘着剤を目蓋とテープ体とに、塗布しテープ体と目蓋を粘着させる。
【符号の説明】
【０００９】１  テープ体
２  粘着部
３  付け睫毛
４  剥離紙
５  本毛睫毛
６  目
７  接着剤
８  折り曲げ部
【図１】
2010285730.tif 000003
【図２】
2010285730.tif 000004
【図３】
2010285730.tif 000005
【図４】
2010285730.tif 000006
【図５】
2010285730.tif 000007